(57)【要約】【課題】現場の情報を正確に記録することができる監視装置、アラーム端末及び監視装置による監視方法を提供する。【解決手段】本発明に係る監視装置は、第一受信ユニット及び第一制御ユニットを備える。前記第一受信ユニットは、アラーム端末が発する警報信号を受信し、前記第一制御ユニットは、前記警報信号に応答して第一指令を生成して送信し、前記第一指令は、前記アラーム端末を制御して画像又はビデオを撮影させ、且つ前記アラーム端末により撮影された画像又はビデオを前記監視装置に送信させて、当該監視装置を介して前記アラーム端末の周辺の映像を獲得する。【選択図】図２
2014102828.tif 000002
【特許請求の範囲】
【請求項１】
第一受信ユニット及び第一制御ユニットを備える監視装置であって、
前記第一受信ユニットは、アラーム端末が発する警報信号を受信し、
前記第一制御ユニットは、前記警報信号に応答して第一指令を生成して送信し、
前記第一指令は、前記アラーム端末を制御して画像又はビデオを撮影させ、且つ前記アラーム端末により撮影された画像又はビデオを前記監視装置に送信させて、当該監視装置を介して前記アラーム端末の周辺の映像を獲得することを特徴とする監視装置。
【請求項２】
前記第一制御ユニットは、前記警報信号に応答して第二指令を生成するようにさらに構成され、
前記第二指令は、前記アラーム端末を制御して所定条件に一致する撮影装置を検出させ、且つ前記アラーム端末が前記所定条件に一致する撮影装置を検出すると、前記アラーム端末を制御して、対応する撮影装置の情報を獲得させ、且つ当該撮影装置の情報を含む撮影要求を生成させ、
前記監視装置は、第二制御ユニットをさらに備え、
前記第二制御ユニットは、前記アラーム端末からの撮影要求を受信すると、前記撮影要求の中から前記撮影装置の情報を取り出して、当該撮影装置の情報に基づいて第三指令を生成し、
前記第三指令は、対応する撮影装置を起動して撮影又は録画させ、且つ撮影した画像又はビデオを前記監視装置に送信させることを特徴とする請求項１に記載の監視装置。
【請求項３】
前記アラーム端末及び／又は前記撮影装置が送信した画像又はビデオを受信して記憶するためのメモリをさらに備えることを特徴とする請求項１又は２に記載の監視装置。
【請求項４】
前記アラーム端末及び前記撮影装置は、同一のソフトウェアプラットフォームに接続され、
前記アラーム端末は、前記撮影装置のＩＰアドレスに基づいて同一の無線基地局に接続されている撮影装置を検出することを特徴とする請求項１に記載の監視装置。
【請求項５】
監視装置との通信機能を有したアラーム端末であって、
通報人の操作に応答して警報信号を生成する操作ユニットと、
前記監視装置が送信した指令に応答して、前記アラーム端末が現在位置する現場の状況を撮影又は録画するか、又は前記警報信号に応答して撮影又は録画する撮影ユニットと、
前記撮影ユニットにより撮影された画像又はビデオを前記監視装置に送信する送信ユニットと、
を備えることを特徴とするアラーム端末。
【請求項６】
検出ユニット及び情報獲得ユニットをさらに備え、
前記検出ユニットは、前記監視装置が送信した指令に応答して、所定条件に一致する撮影装置をリアルタイムに検出し、
前記情報獲得ユニットは、前記検出ユニットが所定条件に一致する撮影装置を検出した場合、対応する撮影装置の情報を獲得して、当該撮影装置の情報を含む撮影要求を生成し、
前記送信ユニットは、前記撮影要求を前記監視装置に送信するようにさらに構成されることを特徴とする請求項５に記載のアラーム端末。
【請求項７】
前記アラーム端末が無線ホットスポットとして機能する場合、
前記検出ユニットは、前記アラーム端末と無線信号を交換する撮影装置を検出し、
前記情報獲得ユニットは、前記検出ユニットの検出結果に基づいて、対応する撮影装置と前記アラーム端末との間の距離情報を獲得し、且つ前記距離情報を前記撮影要求の中に加えて、前記監視装置により所定距離以内の撮影装置を選択させることを特徴とする請求項５に記載のアラーム端末。
【請求項８】
アラーム端末が発した警報信号を受信するステップと、
前記警報信号に応答して第一指令を生成し、且つ当該第一指令を前記アラーム端末に送信するステップであって、前記第一指令は、前記アラーム端末を制御して画像又はビデオを撮影させ、且つ前記アラーム端末により撮影された画像又はビデオを監視装置に送信させる、送信するステップと、
前記アラーム端末が送信する画像又はビデオを受信して記憶するステップと、
を有することを特徴とする監視装置の監視方法。
【請求項９】
前記警報信号に応答して第二指令を生成するステップであって、前記第二指令は、前記アラーム端末を所定条件に一致する撮影装置を検出させるよう制御し、且つ前記アラーム端末が所定条件に一致する撮影装置を検出すると、対応する撮影装置の情報を獲得させるよう前記アラーム端末を制御して、前記アラーム端末により前記撮影装置の情報を含む撮影要求を生成して送信させる、第二指令を生成するステップと、
前記撮影要求を受信すると、前記撮影要求に応答して第三指令を生成するステップであって、前記第三指令は、対応する撮影装置を起動して撮影又は録画させ、且つ撮影した画像又はビデオを前記監視装置に送信させる、第三指令を生成するステップと、
前記撮影装置が送信する画像又はビデオを受信して記憶するステップと、
をさらに有することを特徴とする請求項８に記載の監視装置の監視方法。
【請求項１０】
前記所定条件に一致する撮影装置が、前記アラーム端末と同一の無線基地局に接続されている撮影装置であることを特徴とする請求項８又は９に記載の監視装置の監視方法。
【発明の詳細な説明】
【技術分野】
【０００１】
本発明は、監視装置に関し、特に通報人付近の現場映像を正確に記録することができる監視装置、アラーム端末及び前記監視装置による監視方法に関するものである。
【背景技術】
【０００２】
通報人が警察等に通報する時、従来の警報システムの殆どは音声通信の方式のみでしか通報できないため、従来の警報システムにより得られた情報は非常に限定されていた。従って、特に特殊な事件が発生した場合、現場の映像を獲得できないため、正確な現場状況を把握しづらいことから、より最適な救助タイミングを失うおそれがあった。
【発明の概要】
【発明が解決しようとする課題】
【０００３】
そこで、本発明は、以上の問題点に鑑みてなされたものであり、現場の情報を正確に記録することができる監視装置、アラーム端末及び前記監視装置による監視方法を提供することを目的とする。
【課題を解決するための手段】
【０００４】
上記の課題を解決するために、本発明に係る監視装置は、第一受信ユニット及び第一制御ユニットを備える。前記第一受信ユニットは、アラーム端末が発する警報信号を受信し、前記第一制御ユニットは、前記警報信号に応答して第一指令を生成して送信し、前記第一指令は、前記アラーム端末を制御して画像又はビデオを撮影させ、且つ前記アラーム端末により撮影された画像又はビデオを前記監視装置に送信させて、当該監視装置を介して前記アラーム端末の周辺の映像を獲得する。
【０００５】
また、上記の課題を解決するために、本発明に係るアラーム端末は、監視装置との通信機能を有する。また、該アラーム端末は、通報人の操作に応答して警報信号を生成する操作ユニットと、前記監視装置が送信した指令に応答して、前記アラーム端末が現在位置する現場の状況を撮影又は録画するか、又は前記警報信号に応答して撮影又は録画する撮影ユニットと、前記撮影ユニットにより撮影された画像又はビデオを前記監視装置に送信する送信ユニットと、を備える。
【０００６】
また、上記の課題を解決するために、本発明に係る監視装置の監視方法は、アラーム端末が発した警報信号を受信するステップと、前記警報信号に応答して第一指令を生成し、且つ当該第一指令を前記アラーム端末に送信するステップであって、前記第一指令は、前記アラーム端末を制御して画像又はビデオを撮影させ、且つ前記アラーム端末により撮影された画像又はビデオを監視装置に送信させる、送信するステップと、前記アラーム端末が送信した画像又はビデオを受信して記憶するステップと、を有する。
【発明の効果】
【０００７】
本発明の監視装置は、通報人が警報信号を送信すると、この警報信号に応答して、通報人の周辺の撮影装置を起動して撮影又は録画させる。これにより、本発明のアラーム端末は、現場の映像を正確に記録することができる。また、本発明の監視装置によって、監視員は、通報人が現在位置する現場の画面等を適時に獲得できるとともに、撮影した画像又はビデオを証拠として保存することができる。
【図面の簡単な説明】
【０００８】
【図１】本発明の実施形態に係る監視装置の機能モジュールを示すブロック図である。
【図２】本発明の実施形態に係る監視装置の監視方法のフローチャートである。
【発明を実施するための形態】
【０００９】
図１に示すように、本発明に係る監視システム１００は、監視装置１０と、アラーム端末２０と、複数の撮影装置３０と、を備える。本実施形態において、監視装置１０は、監視プラットフォームのサーバである。アラーム端末２０は、ハンディターミナル、専用の警報装置、携帯電話等であり、通報人の操作に応答して警報信号を送信するか、又は映像を撮影することができる。監視装置１０は、警報信号を受信し、且つ当該警報信号に基づいて前記複数の撮影装置３０を起動してビデオを撮影させる。アラーム端末２０及び複数の撮影装置３０は、有線ネットワークや無線ネットワークを介して監視装置１０に接続される。前記ネットワークは、インターネット又はイントラネットであることができる。
【００１０】
前記複数の撮影装置３０は、録画機能を備えた電子機器であり、監視装置１０からの指令を受信すると、当該指令に基づいて撮影機能を起動し、且つ撮影した画像又はビデオを監視装置１０に伝送する。本実施形態において、撮影装置３０は、監視カメラ３０１、パソコン３０２又はデスクトップコンピュータ３０３等であり、これらは無線ネットワークを介して監視装置１０に接続される。
【００１１】
以下、図１を参照しながら、監視装置１０の具体的な構成について説明する。
【００１２】
監視装置１０は、第一受信ユニット１０１と、第一制御ユニット１０２と、第二制御ユニット１０３と、メモリ１０４と、を備える。
【００１３】
第一受信ユニット１０１は、アラーム端末２０が送信した警報信号を受信するために用いられる。この警報信号は、アラーム端末２０が通報人の操作に応答して生成したものである。前記通報人の操作とは、指定の番号にかける等の動作のことである。第一受信ユニット１０１が警報信号を受信すると、監視装置１０とアラーム端末２０との接続関係が確立される。
【００１４】
第一制御ユニット１０２は、第一受信ユニット１０１が受信した警報信号に応答して第一指令を生成し、且つ当該第一指令をアラーム端末２０に送信する。前記第一指令は、アラーム端末２０を制御して画像又はビデオを撮影させ、且つアラーム端末２０により撮影されたビデオを監視装置１０に送信させる。これにより、通報人が通報する時、通報人が所持するアラーム端末２０は撮影機能を起動することができ、監視員（即ち、通報を受け取る側）は監視装置１０を介して現場の映像資料を獲得することができる。
【００１５】
また、第一制御ユニット１０２は、前記警報信号に応答して第二指令を生成するためにも用いられる。前記第二指令は、アラーム端末２０を制御して、アラーム端末２０に予め設定された条件（以下、所定条件と略称する）と一致する撮影装置３０を検出する。さらに、第一制御ユニット１０２は、アラーム端末２０が所定条件に一致する撮影装置３０を検出すると、対応する撮影装置３０の情報を獲得させるようアラーム端末２０を制御して、撮影装置３０の情報を含む撮影要求を生成する。前記所定条件を設定する理由は、アラーム端末２０の周辺の撮影装置３０を獲得するためである。本実施形態において、監視装置１０、アラーム端末２０及び撮影装置３０は、全て同一のソフトウェアプラットフォームに接続されている。アラーム端末２０は、撮影装置３０のＩＰアドレスに基づいて、該アラーム端末２０自身と同じ無線基地局に接続されている撮影装置３０を検出して、この撮影装置３０を所定条件に一致する装置とする。また、別の実施形態において、アラーム端末２０は、撮影装置３０の他の位置情報（例えば、ＧＰＳアドレス情報等）に基づいて、所定距離範囲内の撮影装置３０を検出することができる。
【００１６】
本実施形態において、アラーム端末２０が所定条件に一致する撮影装置３０を検出すると、前記第二指令は、アラーム端末２０を制御して、所定条件に一致する撮影装置３０の情報（例えば、ＩＰアドレス、ＧＰＳアドレス等の位置情報）を獲得し、且つ当該撮影装置３０の情報に基づいて、当該撮影装置３０の情報を含む撮影要求を生成させる。その後、監視装置１０は、前記所定条件に一致する撮影装置３０を制御して、通報人が現在位置する現場の状況を録画又は撮影して記録させる。
【００１７】
第二制御ユニット１０３は、アラーム端末２０からの撮影要求を受信すると、前記撮影要求の中から撮影装置３０の情報を取り出して、当該撮影装置３０の情報に基づいて、第三指令を生成する。第三指令は、対応する撮影装置３０を起動して撮影又は録画させ、且つ撮影した画像又はビデオを監視装置１０にアップロードさせる。このようにして、監視装置１０は、前記所定条件に一致する撮影装置３０を介して、通報人の付近の現場情報を獲得する。
【００１８】
メモリ１０４は、アラーム端末２０又は撮影装置３０からの画像／ビデオを受信して記憶する。これにより、通報人の付近の情報は、監視装置１０のメモリ１０４により記録される。
【００１９】
本発明において、アラーム端末２０は、監視装置１０と通信することができ、且つ操作ユニット２０１と、撮影ユニット２０２と、送信ユニット２０３と、検出ユニット２０４と、情報獲得ユニット２０５と、を備える。
【００２０】
操作ユニット２０１は、前記通報人の操作（例えば、指定の電話番号にかける等）に応答して警報信号を生成する。本実施形態において、アラーム端末２０は、スマートフォンである。
【００２１】
撮影ユニット２０２は、監視装置１０が送信した指令に応答して撮影又は録画するか、又は前記警報信号に応答して撮影又は録画する。監視装置１０は、アラーム端末２０から受信した警報信号に応答して指令を生成して、アラーム端末２０を制御する。
【００２２】
送信ユニット２０３は、撮影ユニット２０２が撮影した画像又はビデオを監視装置１０に送信する。これにより、監視装置１０を介してアラーム端末２０の周辺の状況を知ることができる。
【００２３】
検出ユニット２０４は、監視装置１０の指令に応答して、所定条件に一致する撮影装置３０を検出するために用いられる。より詳細には、監視装置１０は、前記警報信号に応答して制御指令を生成し、検出ユニット２０４を制御して所定条件に一致する撮影装置３０を検出させる。本実施形態において、検出ユニット２０４は、同一の無線基地局に接続されている撮影装置３０を検出し、且つ検出した撮影装置３０を所定条件に一致する撮影装置３０とする。また、別の実施形態において、アラーム端末２０は無線ホットスポットとして機能し、有効範囲内の撮影装置３０とデータを交換することができる。この場合、検出ユニット２０４は、アラーム端末２０と無線通信する撮影装置３０を所定条件に一致する撮影装置とする。
【００２４】
また、検出ユニット２０４は、リアルタイムの情報を検出する。即ち、アラーム端末２０を所持する通報人が移動すると、検出ユニット２０４は、直ちに所定条件に一致する撮影装置３０の情報を更新することができる。
【００２５】
情報獲得ユニット２０５は、検出ユニット２０４が所定条件に一致する撮影装置３０を検出すると、対応する撮影装置３０の情報（例えば、ＩＰアドレス等の位置情報）を獲得して、当該撮影装置３０の情報を含む撮影要求を生成する。例えば、検出ユニット２０４がアラーム端末２０と同一の無線基地局に接続された撮影装置３０を検出すると、情報獲得ユニット２０５は獲得したＩＰアドレスを撮影装置３０の情報とする。情報獲得ユニット２０５は、検出ユニット２０４の検出結果に基づいて、前記撮影装置３０とアラーム端末２０との間の距離情報を獲得し、且つ該距離情報を前記撮影要求の中に加える。これにより、監視装置１０は所定距離以内の撮影装置３０を選定でき、且つアラーム端末２０の付近に位置する撮影装置３０を起動して撮影又は録画させる。情報獲得ユニット２０５が新しい撮影要求を生成すると、送信ユニット２０３は当該新しい撮影要求を監視装置１０に送信して、監視装置１０により対応する撮影装置３０を制御する。
【００２６】
図２に示すように、本発明の実施形態に係る監視装置による監視方法は、監視装置１０により実行され、以下のステップＳ５０１〜Ｓ５０５を有する。
【００２７】
ステップＳ５０１において、監視装置１０は、アラーム端末２０が発する警報信号を受信する。具体的には、緊急事態が発生した時、アラーム端末２０は通報人の操作に応答して、警報信号を生成するか、又は映像を撮影する。監視装置１０は、前記警報信号を受信して、アラーム端末２０と接続関係を確立する。本実施形態において、アラーム端末２０は、スマートフォンであり、且つ通報人が指定番号にかける操作に応答して、警報信号を生成する。
【００２８】
ステップＳ５０２において、監視装置１０は、前記警報信号に応答して第一指令及び第二指令を生成し、且つ該第一指令及び第二指令をアラーム端末２０に送信する。前記第一指令は、アラーム端末２０を制御して撮影又は録画させるために用いられる。前記第二指令は、アラーム端末２０を制御して、所定条件に一致する撮影装置３０を検出させ、且つアラーム端末２０が対応する撮影装置３０を検出した時に、アラーム端末２０を介して当該撮影装置３０の情報（例えば、ＩＰアドレス等の位置情報及び機器の識別情報、型番等）を獲得して、前記撮影装置３０の情報を含む撮影要求を生成して送信させる。
【００２９】
ステップＳ５０３において、監視装置１０が受信した信号が、アラーム端末２０が前記第一指令に応答して撮影した画像又はビデオであるのか、又はアラーム端末２０が前記第二指令に応答して生成した撮影要求であるのかを判断する。監視装置１０がアラーム端末２０により送信された撮影要求を受信した場合、以下のステップＳ５０４を実行する。また、監視装置１０はアラーム端末２０が撮影した画像又はビデオを受信した場合、以下のステップＳ５０５を実行する。
【００３０】
ステップＳ５０４において、監視装置１０の第二制御ユニット１０３は、前記撮影要求に基づいて、対応する撮影装置３０の情報を取り出し、且つ前記撮影要求に応答して第三指令を送信して、対応する撮影装置３０を起動して撮影又は録画させ、さらに、撮影した画像又はビデオを監視装置１０にアップロードさせる。
【００３１】
ステップＳ５０５において、アラーム端末２０又は撮影装置３０により撮影された画像／ビデオを受信して記憶する。上記の実施形態から分かるように、本発明の監視装置、アラーム端末及び前記監視装置による監視方法は、アラーム端末２０が警報信号を送信すると、当該アラーム端末２０の周辺の撮影装置３０を検出し、且つ撮影装置３０を検出すると、アラーム端末２０自体又はアラーム端末２０の付近の撮影装置３０を起動してリアルタイムの映像を撮影させる。これにより、監視員は、通報人が現在位置する現場の画面等を適時に獲得できるとともに、撮影した画像又はビデオを証拠として保存することができる。
【符号の説明】
【００３２】
１００    監視システム
１０      監視装置
１０１    第一受信ユニット
１０２    第一制御ユニット
１０３    第二制御ユニット
１０４    メモリ
２０      アラーム端末
２０１    操作ユニット
２０２    撮影ユニット
２０３    送信ユニット
２０４    検出ユニット
２０５    情報獲得ユニット
３０      撮影装置
３０１    監視カメラ
３０２    パソコン
３０３    デスクトップコンピュータ
【図１】
2014102828.tif 000003
【図２】
2014102828.tif 000004